(57)【要約】【課題】製造コストの増加を抑制して、信頼性の向上を図る。【解決手段】指令有効性判定部２５は、マスタ指令入力部２３および操作条件入力部２４により入力されたマスタ指令信号および操作条件信号に基づいて、投入指令入力部２１、開放指令入力部２２およびマスタ指令入力部２３により入力された投入指令信号、開放指令信号およびマスタ指令信号の有効性を判定する有効性判定演算を行い、有効投入指令信号、有効開放指令信号および有効マスタ指令信号を出力する。このとき、有効投入指令信号および有効開放指令信号は、それぞれ投入指令出力部２６および開放指令出力部２７を介して遮断器３へ出力されるが、有効マスタ指令信号は、ＡＮＤ回路２９により、マスタ指令入力部２３から出力されるマスタ指令信号とのＡＮＤ演算がされた上で、マスタ指令出力部２８を介して遮断器３へ出力される。【選択図】図１
2011014410.tif 000002
【特許請求の範囲】
【請求項１】
受変電設備の遮断器に主電源の投入または開放を指令するための信号を供給する遮断器用操作器であって、
前記遮断器に主電源の投入を指令する投入指令の入力を受付けて、投入指令信号を生成する投入指令入力部と、
前記遮断器に主電源の開放を指令する開放指令の入力を受付けて、開放指令信号を生成する開放指令入力部と、
前記投入指令または前記開放指令に併せて指令されるマスタ指令の入力を受付けて、マスタ指令信号を生成するマスタ指令入力部と、
前記投入指令、前記開放指令および前記マスタ指令を禁止または許可する操作条件の入力を受付けて、操作条件信号を生成する操作条件入力部と、
前記マスタ指令信号および前記操作条件信号に基づいて、前記投入指令信号、前記開放指令信号および前記マスタ指令信号の有効性を判定する有効性判定演算を行い、有効性判定演算後の前記投入指令信号、前記開放指令信号および前記マスタ指令信号を、それぞれ、有効投入指令信号、有効開放指令信号および有効マスタ指令信号として出力する指令有効性判定部と、
前記マスタ指令信号と前記有効マスタ指令信号との論理積を演算するＡＮＤ回路と、
前記有効投入信号を前記遮断器に出力する投入指令出力部と、
前記有効開放信号を前記遮断器に出力する開放指令出力部と、
前記ＡＮＤ回路の出力信号を前記遮断器に出力するマスタ指令出力部と、
を備えたこと
を特徴とする遮断器用操作器。
【請求項２】
請求項１に記載の遮断器用操作器であって、
前記投入指令入力部、前記開放指令入力部および前記マスタ指令入力部は、それぞれ、
作業者が操作可能なスイッチで構成されること
を特徴とする遮断器用操作器。
【請求項３】
請求項１に記載の遮断器用操作器であって、
所定の通信ネットワークに接続される通信制御部を、さらに、備え、
前記投入指令入力部、前記開放指令入力部および前記マスタ指令入力部は、それぞれ、
前記通信制御部により受信された通信メッセージの中から、投入指令データ、開放指令データおよびマスタ指令データをそれぞれ検知する投入指令検知部、開放指令検知部およびマスタ指令検知部により構成されること
を特徴とする遮断器用操作器。
【発明の詳細な説明】
【技術分野】
【０００１】
本発明は、受変電設備などの遮断器に対して投入指令または開放指令を出力する遮断器用操作器に関する。
【背景技術】
【０００２】
受変電設備の誤操作や故障は、感電などの人身事故に繋がり、また、工場や一般社会の停電事故となって、経済的損失を伴うこともある。従って、受変電設備における遮断器や操作器には高い信頼性が求められる。
【０００３】
例えば、特許文献１に開示された操作器においては、遮断器の電源投入を駆動する投入コイルに対し、直列に２つのスイッチが設けられており、作業者が操作する押しボタンスイッチによって生成される投入指令信号が、それぞれ異なる系統の制御回路を経由する異なる制御信号として前記２つのスイッチに伝達されるように構成されている。そして、その２つの制御信号により前記２つのスイッチがともに閉じたとき、投入コイルが動作して、遮断器の電源投入が行われる。この場合、押しボタンスイッチから投入コイルを動作させる２つのスイッチに到る一方の制御回路が投入指令を誤出力しても、他方の制御回路が投入指令を誤出力しない限り、遮断器は投入動作をすることがないので、遮断器は一方の制御回路の誤出力から保護される。
【０００４】
また、非特許文献１に開示された操作器には、人為的な操作ミスを防止するために、投入指令または開放指令を指示する操作スイッチの他に、その投入指令または開放指令を指示するスイッチの有効性を確認する操作スイッチが設けられている。すなわち、作業者は、投入指令または開放指令を指示する操作スイッチの他にその有効性確認用の操作スイッチも併せて操作しなければ、その投入指令または開放指令が遮断器へ伝達されないようにされている。さらに、非特許文献１に開示の操作器では、操作場所や投入禁止などの条件によっても、投入指令または開放指令の操作が有効にならないようにされている。これによって、人為的な操作ミスなどによる遮断器への投入または開放の誤指令を防止することができる。
【先行技術文献】
【特許文献】
【０００５】
【特許文献１】特開平３−８２２５号公報
【非特許文献】
【０００６】
【非特許文献１】「日立ディジタル形保護・計測装置ＩＣＵ−Ｔ１シリーズ取扱説明書−仕様編−」、株式会社日立製作所、２００５年３月
【発明の概要】
【発明が解決しようとする課題】
【０００７】
しかしながら、特許文献１のように、遮断器の投入動作を駆動させるまでのスイッチや制御系統を２重化した場合には、その２重化に伴うハードウエアの増加のために、製造コストがかさむことになる。
【０００８】
また、非特許文献１のように、確認用操作スイッチの入力を含み種々の条件が成立したときに投入指令または開放指令が有効になるようにした場合には、その有効性判定のロジック処理部自体が故障などのために投入指令または開放指令を誤出力したとすると、遮断器も誤動作することになる。このため、非特許文献１では、有効性判定のロジック処理部の故障を検出するための回路と、故障検出時に投入指令または開放指令の誤出力を阻止する回路を備えており、製造コストがかさむことになる。
【０００９】
これらの従来技術の問題点に鑑み、本発明の目的は、製造コストの増加を抑制することができ、かつ、高信頼化された遮断器の操作器を提供することにある。
【課題を解決するための手段】
【００１０】
前記発明の遮断器用操作器は、信号入力部として、遮断器に主電源の投入を指令するための投入指令の入力を受付けて、投入指令信号を生成する投入指令入力部と、遮断器に主電源の開放を指令するための開放指令の入力を受付けて、開放指令信号を生成する開放指令入力部と、前記投入指令または開放指令に併せて指令されるマスタ指令の入力を受付けて、マスタ指令信号を生成するマスタ指令入力部と、前記の投入指令、開放指令およびマスタ指令を禁止または許可する操作条件の入力を受付けて、操作条件信号を生成する操作条件入力部と、を備える。
また、信号処理部として、前記マスタ指令信号および操作条件信号に基づいて、前記投入指令信号、開放指令信号およびマスタ指令信号の有効性を判定する有効性判定演算を行い、有効性判定演算後の前記投入指令信号、開放指令信号およびマスタ指令信号を、それぞれ、有効投入指令信号、有効開放指令信号および有効マスタ指令信号として出力する指令有効性判定部と、前記マスタ指令信号と前記有効マスタ指令信号との論理積（ＡＮＤ）を演算するＡＮＤ回路と、を備える。
また、信号出力部として、前記有効投入信号を遮断器に出力する投入指令出力部と、前記有効開放信号を遮断器に出力する開放指令出力部と、前記ＡＮＤ回路の出力信号を前記遮断器に出力するマスタ指令出力部と、を備える
【００１１】
以上のように構成された遮断器用操作器においては、指令有効性判定部で操作条件信号に基づき有効性が判定された有効マスタ指令信号が遮断器に供給されるのではなく、その有効マスタ指令信号と、マスタ指令入力部によって入力されたもとのマスタ指令信号と、のＡＮＤ演算された信号が遮断器に供給される。従って、指令有効性判定部が故障などにより有効マスタ信号を誤出力したとしても、その誤出力の信号は、もとのマスタ指令信号とのＡＮＤ演算が行われるので、その誤出力が遮断器に伝達されるのが阻止される。
【００１２】
すなわち、本発明では、ＡＮＤ回路の追加というわずかなコスト増加によって、指令有効性判定部の故障などに対する高信頼な動作を実現することができる。
【発明の効果】
【００１３】
本発明によれば、製造コストの増加を抑制することができ、かつ、高信頼化された遮断器用操作器が提供される。
【図面の簡単な説明】
【００１４】
【図１】本発明の第１の実施形態に係る遮断器の操作器の構成の例を示した図。
【図２】本発明の実施形態の比較例に係る従来の遮断器の操作器の構成の例を示した図。
【図３】本発明の第２の実施形態に係る操作器の構成の例を示した図。
【図４】本発明の第３の実施形態に係る操作器の構成の例を示した図。
【発明を実施するための形態】
【００１５】
以下、本発明の実施形態について、図面を参照して詳細に説明する。
【００１６】
＜第１の実施形態＞
図１は、本発明の第１の実施形態に係る遮断器の操作器の構成の例を示した図である。図１に示すように、遮断器３で用いられる操作器２は、遮断器３のすぐ近くに配置され、センタ制御装置１からの指令に基づき、遮断器３に対し、主電源の投入または開放を指令する装置である。
【００１７】
センタ制御装置１は、変電所や工場の管理室などに設置されたコンピュータなどで構成されている。そして、例えば、管理者がセンタ制御装置１に付属のスイッチやキーボードなどを介して所定の情報を入力したとき、あるいは、外部の様々な装置からの入力に基づき、例えば、所定の電力需給環境や所定の気象環境などを検知したときには、センタ制御装置１は、投入指令、開放指令またはマスタ指令の各信号を操作器２へ出力する。
【００１８】
ここで、投入指令信号は、遮断器３に対し、主電源４の負荷５への投入を指令する信号であり、開放指令信号は、遮断器３に対し、主電源４の開放を指令する信号である。また、マスタ指令信号は、投入指令信号または開放指令信号の「ＯＮ」出力を確認する信号である。従って、センタ制御装置１は、投入指令信号または開放指令信号の「ＯＮ」出力時には、マスタ指令信号の「ＯＮ」を併せて出力する。
【００１９】
操作器２の投入指令入力部２１、開放指令入力部２２およびマスタ指令入力部２３は、それぞれ、センタ制御装置１から出力される投入指令、開放指令およびマスタ指令の各信号を入力し、その入力した投入指令、開放指令およびマスタ指令の各信号を指令有効性判定部２５へ伝達する。
【００２０】
操作器２は、さらに、操作条件入力部２４を備えている。操作条件入力部２４は、センタ制御装置１から投入指令信号、開放指令信号、マスタ指令信号などの入力を許可または禁止する信号や、遮断器３を含む受変電設備の状態によって、遮断器３の投入を禁止する信号などを入力し、その入力した信号を指令有効性判定部２５へ伝達する。図１では、操作条件入力部２４への入力信号は１本しか描かれていないが、通常、操作条件入力部２４へは、複数の信号が入力される。なお、その入力信号は、操作器２に付属するボタンスイッチなどで生成される信号であってもよく、また、センタ制御装置１を含む外部の装置から出力された信号であってもよい。
【００２１】
指令有効性判定部２５は、マイクロプロセッサ、ＦＰＧＡ（Field Programmable Gate Array）、ＣＰＬＤ（Complex Programmable Logic Device）などの１チップの大規模集積回路（ＬＳＩ：Large Scale Integrated circuits）で構成され、投入指令入力部２１、開放指令入力部２２およびマスタ指令入力部２３からそれぞれ伝達される投入指令信号、開放指令信号およびマスタ指令信号の有効性を判定する。
【００２２】
すなわち、指令有効性判定部２５は、投入指令入力部２１から投入指令信号「ＯＮ」の伝達を受けたときには、マスタ指令入力部２３から伝達されたマスタ指令信号の「ＯＮ」または「ＯＦＦ」を判定し、そのマスタ指令信号が「ＯＮ」であった場合には、投入指令信号の「ＯＮ」を有効と判定し、マスタ指令信号が「ＯＦＦ」であった場合には、投入指令信号の「ＯＮ」信号を無効とする。
【００２３】
同様に、指令有効性判定部２５は、開放指令入力部２２から開放指令信号「ＯＮ」の伝達を受けたときには、マスタ指令入力部２３から伝達されたマスタ指令信号の「ＯＮ」または「ＯＦＦ」を判定し、そのマスタ指令信号が「ＯＮ」であった場合には、開放指令信号の「ＯＮ」を有効と判定し、マスタ指令信号が「ＯＦＦ」であった場合には、開放指令信号の「ＯＮ」信号を無効とする。
【００２４】
さらに、指令有効性判定部２５は、操作条件入力部２４から伝達された信号に基づき、投入指令信号および開放指令信号の有効性を判定する。例えば、センタ制御装置１からの入力が禁止される信号が「ＯＮ」であった場合には、たとえ、投入指令入力部２１からの投入指令信号が「ＯＮ」、かつ、マスタ指令入力部２３からのマスタ指令信号が「ＯＮ」であったとしても、その投入指令信号の「ＯＮ」は無効にされる。
【００２５】
なお、操作条件入力部２４から伝達された信号に基づく有効性の判定は、マスタ指令信号にも適用される。例えば、センタ制御装置１からの入力が禁止される信号が「ＯＮ」であった場合には、マスタ指令入力部２３からのマスタ指令信号が「ＯＮ」であっても、そのマスタ指令信号の「ＯＮ」は無効にされる。
【００２６】
以上の指令有効性判定部２５の動作を纏めると、指令有効性判定部２５は、次のような論理演算処理を行っている。
有効投入指令信号
＝投入指令信号・マスタ指令信号・許可条件信号・not禁止条件信号
有効開放指令信号
＝開放指令信号・マスタ指令信号・許可条件信号・not禁止条件信号
有効マスタ指令信号
＝マスタ指令信号・許可条件信号・not禁止条件信号
【００２７】
ここで、有効投入指令信号、有効開放指令信号および有効マスタ指令信号は、指令有効性判定部２５から出力される信号、投入指令信号、開放指令信号、マスタ指令信号、許可条件信号および禁止条件信号は、指令有効性判定部２５へ入力される信号である。また、演算子「・」は、論理積、「not」は、否定を表す演算子である。
【００２８】
なお、許可条件信号および禁止条件信号は、操作条件入力部２４で生成される信号で、それぞれ、投入指令信号、開放指令信号およびマスタ指令信号を許可または禁止する条件を示す信号である。これらの信号は、一方がなくても構わないし、また、それぞれ複数あっても構わない。
【００２９】
指令有効性判定部２５は、以上のようにして有効性の判定演算を行い、有効投入指令信号、有効開放指令信号および有効マスタ指令信号を出力し、その出力信号を、それぞれ、投入指令出力部２６、開放指令出力部２７およびマスタ指令出力部２８へ伝達する。
【００３０】
ただし、このうちの有効マスタ指令信号は、マスタ指令出力部２８へ直接に伝達されるのではなく、その途中に設けられたＡＮＤ回路２９にいったん入力される。このとき、ＡＮＤ回路２９の他方の入力には、マスタ指令入力部２３から出力されたマスタ指令信号が入力される。そして、有効マスタ指令信号は、ＡＮＤ回路２９により、マスタ指令入力部２３から出力されたマスタ指令信号とのＡＮＤ演算が行われた後、ＡＮＤ回路２９の出力信号としてマスタ指令出力部２８へ伝達される。
【００３１】
このＡＮＤ回路２９は、指令有効性判定部２５からの有効マスタ指令信号「ＯＮ」の誤出力に対処することを目的に設けられたものである。すなわち、指令有効性判定部２５を構成するＬＳＩの一部または全部が故障した場合には、指令有効性判定部２５から出力される有効マスタ指令信号は、「ＯＦＦ」となるべきとき、誤って「ＯＮ」となることがあり得る。その場合には、その有効マスタ指令信号は、当初の目的のマスタ指令信号としての役割を果たすことができない。
【００３２】
そこで、ここでは、ＡＮＤ回路２９の一方に指令有効性判定部２５から出力された有効マスタ指令信号を入力し、他方にマスタ指令入力部２３から出力されたもとのマスタ指令信号を入力することにより、指令有効性判定部２５から誤出力される有効マスタ指令信号の「ＯＮ」がＡＮＤ回路２９を通過できないようにした。こうしたことによって、指令有効性判定部２５から有効マスタ指令信号の「ＯＮ」が誤出力されても、その誤出力がマスタ指令出力部２８へ伝達されることはない。
【００３３】
投入指令出力部２６、開放指令出力部２７およびマスタ指令出力部２８は、いずれも、電磁リレーなどで構成されており、そのリレースイッチの「ＯＮ」または「ＯＦＦ」は、それぞれ、指令有効性判定部２５から出力される有効投入指令信号および有効開放指令信号、並びに、ＡＮＤ回路２９の出力信号によって制御される。
【００３４】
これらの電磁リレーなどから構成される投入指令出力部２６、開放指令出力部２７およびマスタ指令出力部２８は、遮断器３内の投入コイル３１および開放コイル３２を駆動し、主電源遮断部３５の大電流スイッチ（図示せず）の「ＯＮ」または「ＯＦＦ」を制御する。
【００３５】
すなわち、投入コイル３１、投入指令出力部２６のリレースイッチ、および、マスタ指令出力部２８のリレースイッチは、制御電源（＋）３３と制御電源（−）３４との間に、電気的に直列に配置される。従って、有効投入指令信号が「ＯＮ」、かつ、ＡＮＤ回路２９から出力される信号が「ＯＮ」となったときには、各リレースイッチも「ＯＮ」となるので、制御電源（＋）３３と制御電源（−）３４との間に電流が流れ、投入コイル３１が駆動される。その結果、主電源遮断部３５の図示しない大電流スイッチが「ＯＮ」となり、主負荷５へ電源４が投入される。
【００３６】
同様に、開放コイル３２、開放指令出力部２７のリレースイッチ、および、マスタ指令出力部２８のリレースイッチは、制御電源（＋）３３と制御電源（−）３４との間に、電気的に直列に配置される。従って、有効開放指令信号が「ＯＮ」、かつ、ＡＮＤ回路２９から出力される信号が「ＯＮ」となったときには、各リレースイッチも「ＯＮ」となるので、制御電源（＋）３３と制御電源（−）３４との間に電流が流れ、開放コイル３２が駆動される。その結果、主電源遮断部３５の図示しない大電流スイッチが「ＯＦＦ」となり、主電源４からの負荷５への電流供給が遮断される。
【００３７】
＜比較例＞
図２は、本発明の実施形態の比較例に係る従来の遮断器の操作器の構成の例を示した図である。図２に示した操作器２ａの構成は、例えば、非特許文献１などに開示されているものに相当し、その構成のほとんどは、図１に示した操作器２の構成と同じである。そこで、図２では、第１の実施形態と同じ構成要素には同じ符号を付し、その構成要素についての説明を省略する。
【００３８】
ここで、図１と図２とを比較すると、その相違は、図１の操作器２にはＡＮＤ回路２９が含まれているが、図２の操作器２ｃにはそのＡＮＤ回路２９が含まれていないことであることが分かる。
【００３９】
従って、従来の操作器２ｃでは、指令有効性判定部２５を構成するＬＳＩの一部または全部が故障した場合には、指令有効性判定部２５から有効マスタ指令信号の「ＯＮ」が誤出力されたとき、その誤出力を阻止することはできない。
【００４０】
ここで、何らかの人為的なミスなどによって、センタ制御装置１から、投入指令信号の「ＯＮ」、および、マスタ指令信号の「ＯＦＦ」が出力され、さらに、指令有効性判定部２５のＬＳＩの一部または全部の故障により、指令有効性判定部２５から有効投入指令信号の「ＯＮ」が出力され、また、有効マスタ指令信号の「ＯＮ」が誤出力された場合を想定する。その場合には、投入指令出力部２６のリレースイッチおよびマスタ指令出力部２８のリレースイッチがともに「ＯＮ」となるので、投入コイル３１が駆動されて、主電源遮断部３５の大電流スイッチが「ＯＮ」することになり、負荷５に主電源４が誤投入されることになる。
【００４１】
一方、本発明の第１の実施形態では、前記したように、ＡＮＤ回路２９により、誤出力の有効投入指令信号「ＯＮ」と、センタ制御装置１から入力された実質的に「生の」マスタ指令信号「ＯＦＦ」と、をＡＮＤ演算することによって、前記誤出力の有効投入指令信号がマスタ指令出力部２８へ伝達されるのを阻止することができる。よって、負荷５に主電源４が誤投入されるような事態に到ることはない。
【００４２】
従って、少なくとも指令有効性判定部２５の故障に対する耐性は、第１の実施形態の操作器２のほうが従来の操作器２ｃよりも大きい、つまり、第１の実施形態の操作器２は、従来の操作器２ｃよりも信頼性が高いということができる。
【００４３】
なお、従来の操作器２ｃの信頼性を高くするために、例えば、指令有効性判定部２５を２重化するような対処案も想定することができる。その場合には、指令有効性判定部２５からの誤った有効マスタ指令信号の出力は防止されるが、指令有効性判定部２５を構成するＬＳＩ（マイクロプロセッサ、ＦＰＧＡ、ＣＰＬＤなど）が２つ必要となるので、その分、製造コストがかさむことになる。
【００４４】
一方、本発明の第１の実施形態では、小さな集積回路で構成されるＡＮＤ回路２９が１つだけ増加するに留まるので、その製造コストの増加はわずかである。従って、本発明の第１の実施形態によれば、わずかな製造コストの増加により、信頼性の高い操作器２を実現することができる。
【００４５】
＜第２の実施形態＞
図３は、本発明の第２の実施形態に係る遮断器の操作器の構成の例を示した図である。図３では、第１の実施形態と同じ構成要素には同じ符号を付し、その構成要素についての説明を省略する。
【００４６】
図３に示すように、第２の実施形態では、第１の実施形態（図１参照）で投入指令、開放指令およびマスタ指令の各信号を生成していたセンタ制御装置１が省かれている。そのため、第２の実施形態の操作器２ａでは、第１の実施形態の操作器２における投入指令入力部２１、開放指令入力部２２およびマスタ指令入力部２３の代りに、投入指令ボタン２１ａ、開放指令ボタン２２ａおよびマスタ指令ボタン２３ａが設けられた構成となっている。
【００４７】
これらの投入指令ボタン２１ａ、開放指令ボタン２２ａおよびマスタ指令ボタン２３ａは、作業者が操作可能な押しボタンスイッチなどを含んで構成され、作業者が、適宜、そのボタンを押してスイッチを「ＯＮ」、「ＯＦＦ」することによって、投入指令信号、開放指令信号およびマスタ指令信号が生成される。
【００４８】
図３において、第２の実施形態の操作器２ａの他の部分の構成は、第１の実施形態の操作器２と同じであり、また、各構成要素の動作も同じであるので、第２の実施形態でも、第１の実施形態の場合と同様の効果を得ることができる。すなわち、わずかな製造コストの増加により、信頼性の高い操作器２ａを得ることができる。
【００４９】
また、第２の実施形態では、操作器２ａ、すなわち、投入指令ボタン２１ａ、開放指令ボタン２２ａおよびマスタ指令ボタン２３ａが遮断器３のすぐ近傍に設けられることになるので、例えば、メンテナンスの作業者にとっては、操作性のいい操作器２ａが得られたことになる。さらに、第２の実施形態では、センタ制御装置１が必要でないことを考慮すれば、変電設備全体のコストを低減することができるので、小規模な変電設備に好適な操作器２ａが実現されていることになる。
【００５０】
＜第３の実施形態＞
図４は、本発明の第２の実施形態に係る遮断器の操作器の構成の例を示した図である。図４では、第１の実施形態と同じ構成要素には同じ符号を付し、その構成要素についての説明を省略する。
【００５１】
第３の実施形態では、センタ制御装置１と操作器２ｂとは、専用の電話回線やイーサネット（登録商標）のＬＡＮ（Local Area Network）などで構成された通信ネットワーク６を介して接続される。そのため、第３の実施形態の操作器２ｂでは、第１の実施形態の操作器２における投入指令入力部２１、開放指令入力部２２およびマスタ指令入力部２３の代りに、通信制御部２０、投入指令検知部２１ｂ、開放指令検知部２２ｂおよびマスタ指令検知部２３ｂが設けられている。
【００５２】
通信制御部２０は、センタ制御装置１との間で行われる通信に関し、所定の通信プロトコルに基づくデータ送受信シーケンスを制御するとともに、センタ制御装置１から送信される投入指令、開放指令およびマスタ指令を含んだ通信メッセージを受信する。通信制御部２０は、また、受信したシリアルデータの通信メッセージを所定のビット長（例えば、８ビット）単位のパラレルデータに変換するとともに、その通信メッセージの中に、投入指令、開放指令またはマスタ指令などの指令データが含まれているか否かを判定する。
【００５３】
通信制御部２０は、さらに、通信メッセージに埋め込まれたパリティビットやＣＲＣ（Cyclic Redundancy Check code）などの冗長ビットにより、受信した通信メッセージにおける誤りの有無をチェックし、誤りがあった場合には、受信した通信メッセージを無視する、あるいは、センタ制御装置１にメッセージの再送を求める、などの誤り回復処理を実行する。
【００５４】
これら通信制御部２０の処理は、通常、一般的な通信制御用のＬＳＩで実現することができる。また、その通信制御用のＬＳＩを用いて、投入指令検知部２１ｂ、開放指令検知部２２ｂおよびマスタ指令検知部２３ｂを併せて実現することができる。
【００５５】
投入指令検知部２１ｂ、開放指令検知部２２ｂおよびマスタ指令検知部２３ｂは、通信制御部２０で受信された通信メッセージの中に、投入指令、開放指令またはマスタ指令の各指令データを検知した場合には、それぞれ、投入指令信号、開放指令信号またはマスタ指令信号を出力し、指令有効性判定部２５へ伝達する。
【００５６】
図４において、第３の実施形態の操作器２ｂの他の部分の構成は、第１の実施形態の操作器２と同じであり、また、各構成要素の動作も同じであるので、第３の実施形態でも、第１の実施形態の場合と同様の効果を得ることができる。すなわち、わずかな製造コストの増加により、信頼性の高い操作器２ｂを得ることができる。
【００５７】
また、第３の実施形態の操作器２ｂは、通信制御部２０を備えているので、通信ネットワーク６を介してセンタ制御装置１との間で通信をすることができる。そのため、センタ制御装置１は、操作器２ｂおよび遮断器３から遠く離れたところに設置されてもよい。また、通信ネットワーク６には、複数の操作器２ｂを接続することも容易である。従って、１つのセンタ制御装置１で多くの操作器２ｂおよび遮断器３を管理することが可能となる。すなわち、第３の実施形態では、大規模な受変電設備に好適な操作器２ｂが実現されたものとなっている。
【符号の説明】
【００５８】
１      センタ制御装置
２，２ａ，２ｂ      操作器
３      遮断器
４      主電源
５      負荷
６      通信ネットワーク
２０    通信制御部
２１    投入指令入力部
２１ａ  投入指令ボタン
２１ｂ  投入指令検知部
２２    開放指令入力部
２２ａ  開放指令ボタン
２２ｂ  開放指令検知部
２３    マスタ指令入力部
２３ａ  マスタ指令ボタン
２３ｂ  マスタ指令検知部
２４    操作条件入力部
２５    指令有効性判定部
２６    投入指令出力部
２７    開放指令出力部
２８    マスタ指令出力部
２９    ＡＮＤ回路
３１    投入コイル
３２    開放コイル
３５    主電源遮断部
【図１】
2011014410.tif 000003
【図２】
2011014410.tif 000004
【図３】
2011014410.tif 000005
【図４】
2011014410.tif 000006